(57)【要約】【課題】  色分解データ生成において、特色色材を用いる場合に効果的に色再現範囲を拡大することを可能とする。【解決手段】  特色の色相において、最大彩度より高明度側で、特色のインクを用いた方が全明度範囲で彩度が高い場合は（Ｓ４０４）、その特色インクのみを用いる、色分解データのテーブルを作成する（Ｓ４０５）。一方、特色インクそれぞれの色相の最大彩度より高明度の範囲で、特色インクのみを用いてグラデーションの色を構成する場合より基本４色のうち同色相を再現するインクの組み合わせ（混色）を用いて作成した方が彩度が高い明度範囲（Ｓ４０４）およびそれより低い明度範囲では、特色インクにそれと同じ色相を再現する基本４色の組み合わせ（混色）を用いる、色分解テーブルを作成する（Ｓ４０６）。【選択図】  図４
2005217987.tif 000002
【特許請求の範囲】
【請求項１】
基本色の色材と特色の色材の色分解データを生成するための色分解データ生成方法であって、
特色の色が含まれる色相において所定のグラデーションをなす複数の色それぞれのパッチを、前記特色の色材を含み当該色相の色を形成できる前記基本色の組を含まない色材の組み合わせで印刷する特色単色印刷と、前記複数の色それぞれのパッチを、前記特色の色材を含まずに当該色相の色を形成できる前記基本色の組を含む色材の組み合わせで印刷する基本混色印刷とによる、それぞれ複数のパッチの測色結果を用意し、
前記特色単色印刷による複数のパッチの測色結果における彩度と、前記基本混色印刷による複数のパッチの測色結果における彩度を比較し、
該比較において、前記特色単色印刷による彩度が前記基本混色印刷による彩度より高い色については、当該特色の色材を含み当該色相の色を形成できる前記基本色の組を含まない色材の色分解データを生成し、前記特色単色印刷による彩度が前記基本混色印刷による彩度より低い色については、当該色相の色を形成できる前記基本色の組を含む色材の色分解データを生成する、
ステップを有したことを特徴とする色分解データ生成方法。
【請求項２】
前記グラデーションを分割した３つの領域ごとに色分解データの生成が異なり、３つの領域のうち、最も明度の高い領域では、特色色材のみの色分解データを生成し、中間の明度の領域では、前記特色の色材と前記色相の色を形成できる前記基本色の組の色材の色分解データを生成し、最も低い明度では、前記特色の色材と、前記色相の色を形成できる前記基本色の組の色材と、前記色相の色を形成できる前記基本色の組の補色となる色の色材と、ブラックの色材の色分解データを生成すること特徴とする請求項１に記載の色分解データ生成方法。
【請求項３】
基本色の色材と特色の色材の色分解データを生成する画像処理装置であって、
特色の色が含まれる色相において所定のグラデーションをなす複数の色それぞれのパッチを、前記特色の色材を含み当該色相の色を形成できる前記基本色の組を含まない色材の組み合わせで印刷する特色単色印刷と、前記複数の色それぞれのパッチを、前記特色の色材を含まずに当該色相の色を形成できる前記基本色の組を含む色材の組み合わせで印刷する基本混色印刷とによる、それぞれ複数のパッチの測色結果を用意し、
前記特色単色印刷による複数のパッチの測色結果における彩度と、前記基本混色印刷による複数のパッチの測色結果における彩度を比較し、
該比較において、前記特色単色印刷による彩度が前記基本混色印刷による彩度より高い色については、当該特色の色材を含み当該色相の色を形成できる前記基本色の組を含まない色材の色分解データを生成し、前記特色単色印刷による彩度が前記基本混色印刷による彩度より低い色については、当該色相の色を形成できる前記基本色の組を含む色材の色分解データを求める、
処理に基づいて作成された色分解テーブルを用い、前記基本色の色材と特色の色材の色分解データを生成することを特徴とする画像処理装置。
【請求項４】
前記グラデーションを分割した３つの領域ごとに色分解データの生成が異なり、３つの領域のうち、最も明度の高い領域では、特色色材のみの色分解データを求め、中間の明度の領域では、前記特色の色材と前記色相の色を形成できる前記基本色の組の色材の色分解データを求め、最も低い明度では、前記特色の色材と、前記色相の色を形成できる前記基本色の組の色材と、前記色相の色を形成できる前記基本色の組の補色となる色の色材と、ブラックの色材の色分解データを求めること特徴とする請求項３に記載の画像処理装置。
【請求項５】
基本色の色材と特色の色材の色分解データを生成する画像処理装置に読み込まれることにより、該装置に、
特色の色が含まれる色相において所定のグラデーションをなす複数の色それぞれのパッチを、前記特色の色材を含み当該色相の色を形成できる前記基本色の組を含まない色材の組み合わせで印刷する特色単色印刷と、前記複数の色それぞれのパッチを、前記特色の色材を含まずに当該色相の色を形成できる前記基本色の組を含む色材の組み合わせで印刷する基本混色印刷とによる、それぞれ複数のパッチの測色結果を用意し、
前記特色単色印刷による複数のパッチの測色結果における彩度と、前記基本混色印刷による複数のパッチの測色結果における彩度を比較し、
該比較において、前記特色単色印刷による彩度が前記基本混色印刷による彩度より高い色については、当該特色の色材を含み当該色相の色を形成できる前記基本色の組を含まない色材の色分解データを生成し、前記特色単色印刷による彩度が前記基本混色印刷による彩度より低い色については、当該色相の色を形成できる前記基本色の組を含む色材の色分解データを求める、
処理に基づいて作成された色分解テーブルを用い、前記基本色の色材と特色の色材の色分解データを生成する処理を実行させることを特徴とするプログラム。
【発明の詳細な説明】
【技術分野】
【０００１】
本発明は、色分解データ生成方法および画像処理装置に関し、詳しくは、イエロー（Ｙ）、マゼンタ（Ｍ）、シアン（Ｃ）、ブラック（Ｋ）の基本の４色に加えてレッド（Ｒ）、グリーン（Ｇ）、ブルー（Ｂ）などの特色の色材を用いる場合のそれらに対応した色分解データの生成に関するものである。
【背景技術】
【０００２】
カラープリンタなど印刷装置で用いる色分解データの生成処理をもしくはその生成に用いられる色分解テーブルの作成では、パッチの測色結果に基づいて色分解データを決定するが、例えば、ある色（Ｒ，Ｇ，Ｂ）を再現する色分解データの組合せ（Ｙ，Ｍ，Ｃ，Ｋ）は一意に決定できない。このため、従来、色分解データの生成もしくは色分解テーブルの作成では、この組合せを一意に決定するための所定の条件が用いられる。
【０００３】
例えば、特許文献１には、Ｙ＝０、Ｍ＝０、Ｃ＝０、Ｋ＝ｍａｘのそれぞれの条件で目標色を実現するＹ、Ｍ、Ｃ、Ｋの組み合わせのうち、Ｋの量が最大となる組合せにおけるＫの量をＫｍａｘとして求め、また、Ｙ＝ｍａｘ、Ｍ＝ｍａｘ、Ｃ＝ｍａｘ、Ｋ＝０のそれぞれの条件で目標色を実現するＹ、Ｍ、Ｃ、Ｋの組み合せのうちＫの量が最小になる組み合わせにおけるＫの量をＫｍｉｎとして求めた後、これらＫｍａｘとＫｍｉｎとの間のＫ量として滑らかに変化するＫｎｅｗを決定することが記載されている。そして、このようにして組合せが定められた総ての目標色のデータに基づき、目標機器からの入力信号値（Ｒ、Ｇ、Ｂ）に対するＹ、Ｍ、Ｃ、Ｋの組み合わせを格子点データとするルックアップテーブル（ＬＵＴ）を作成している。
【０００４】
一方、最近のカラープリンタなどのカラー印刷装置では、再現できる色域を拡張するなどの目的でイエロー、マゼンタ、シアン、ブラックの基本色に加え、レッド（Ｒ）、グリーン（Ｇ）、ブルー（Ｂ）、オレンジ（Ｏ）などの特色の色材を用いたものが知られている。これら特色の色材によって、特に高い彩度や明度で印刷を行うことができ、これにより、基本４色の色材を用いた場合と較べてより広い色域を実現することが可能となる。
【０００５】
【特許文献１】特開平６−２４２５２３号公報
【発明の開示】
【発明が解決しようとする課題】
【０００６】
しかしながら、一般的に、特色インクなどの特色色材を用いる場合の再現特性は、特色インクの色が含まれる色相において、色成分として特色インクのみを使用した場合、一次色で使用する特色インクのほうが画像の高明度においては彩度が高くなるものの、明度の低いシャドー部分においては基本４色のうち２色を混色して特色インクと同色相の色を再現した方が、彩度が高くなる傾向にある。
【０００７】
このような、特色色材を用いる場合の色再現特性を考慮した色分解テーブルの作成は、特色色材を用いていない上記特許文献１には開示されていない。
【０００８】
本発明は、上述した特色色材を用いる場合の色再現特性に鑑みてなされたものであり、その目的とするところは、色分解データ生成において、特色色材を用いる場合に効果的に色再現範囲を拡大することを可能とする色分解データ生成方法および画像処理装置を提供することにある。
【課題を解決するための手段】
【０００９】
そのために本発明では、基本色の色材と特色の色材の色分解データを生成するための色分解データ生成方法であって、特色の色が含まれる色相において所定のグラデーションをなす複数の色それぞれのパッチを、前記特色の色材を含み当該色相の色を形成できる前記基本色の組を含まない色材の組み合わせで印刷する特色単色印刷と、前記複数の色それぞれのパッチを、前記特色の色材を含まずに当該色相の色を形成できる前記基本色の組を含む色材の組み合わせで印刷する基本混色印刷とによる、それぞれ複数のパッチの測色結果を用意し、前記特色単色印刷による複数のパッチの測色結果における彩度と、前記基本混色印刷による複数のパッチの測色結果における彩度を比較し、該比較において、前記特色単色印刷による彩度が前記基本混色印刷による彩度より高い色については、当該特色の色材を含み当該色相の色を形成できる前記基本色の組を含まない色材の色分解データを生成し、前記特色単色印刷による彩度が前記基本混色印刷による彩度より低い色については、当該色相の色を形成できる前記基本色の組を含む色材の色分解データを生成する、ステップを有したことを特徴とする。
【００１０】
また、基本色の色材と特色の色材の色分解データを生成する画像処理装置であって、特色の色が含まれる色相において所定のグラデーションをなす複数の色それぞれのパッチを、前記特色の色材を含み当該色相の色を形成できる前記基本色の組を含まない色材の組み合わせで印刷する特色単色印刷と、前記複数の色それぞれのパッチを、前記特色の色材を含まずに当該色相の色を形成できる前記基本色の組を含む色材の組み合わせで印刷する基本混色印刷とによる、それぞれ複数のパッチの測色結果を用意し、前記特色単色印刷による複数のパッチの測色結果における彩度と、前記基本混色印刷による複数のパッチの測色結果における彩度を比較し、該比較において、前記特色単色印刷による彩度が前記基本混色印刷による彩度より高い色については、当該特色の色材を含み当該色相の色を形成できる前記基本色の組を含まない色材の色分解データを生成し、前記特色単色印刷による彩度が前記基本混色印刷による彩度より低い色については、当該色相の色を形成できる前記基本色の組を含む色材の色分解データを求める、処理に基づいて作成された色分解テーブルを用い、前記基本色の色材と特色の色材の色分解データを生成することを特徴とする。
【発明の効果】
【００１１】
以上の構成によれば、特色の色材を含み当該色相の色を形成できる前記基本色の組を含まない色材の組み合わせで印刷するパッチの彩度が、特色の色材を含まずに当該色相の色を形成できる前記基本色の組を含む色材の組み合わせで印刷するパッチの彩度より高い色については、当該特色の色材を含み当該色相の色を形成できる前記基本色の組を含まない色材の色分解データを生成し、前者による彩度が後者による彩度より低い色については、当該色相の色を形成できる上記基本色の組を含む色材の色分解データを生成するので、印刷の色再現においてそれぞれ彩度が高くなる方の色材を用いるように色分解データを生成することができる。
【００１２】
その結果、色分解データ生成において、特色の色材を用いる場合に効果的に色再現範囲を拡大することを可能となる。
【発明を実施するための最良の形態】
【００１３】
以下、図面を参照して本発明の実施形態を詳細に説明する。  
（第１の実施形態）
本実施形態では、Ｙ（イエロー）、Ｍ（マゼンタ）、Ｃ（シアン）、Ｋ（ブラック）の基本４色と、Ｇ（グリーン）およびＢ（ブルー）の特色２色の、計６色のインクを色材として用いるカラープリンタの印刷データを生成する色変換の１つとして、上記６色の色分解データを生成する。
【００１４】
図１は、本発明の一実施形態に係る、色分解データ生成のための処理を機能によって示すブロック図である。
【００１５】
図１に示すように、本実施形態における色分解データ生成の処理では、単色測定１０１によって、ＧおよびＢの特色インクをそれぞれ単色で使用した場合の明度および彩度を測定する。また、基本混色測定１０２によって、基本４色を用いてそれぞれの特色インクと同色相の色を混色で再現した場合の明度および彩度を測定する。例えば、Ｇインクと同色相の色であればＹとＣの混色で、また、Ｂインクと同色相の色であればＭとＣの混色でそれぞれ再現した場合の明度および彩度を測定する。単色測定１０１および基本混色測定１０２それぞれの実際の測定は、図２、図３にて後述されるように、分光光度計を有した測色器によって測色され、その測色データに基づいて彩度および明度を求めるものである。
【００１６】
特色色相比較１０３は、単色測定１０１および基本混色測定１０２によりそれぞれ得られた測定データを比較する。そして、特色色相インク色分解１０４は、特色色相比較１０３により得られた比較データに基づいて、特色インクの色相のグラデーションにおける各インクの色分解データを生成する。
【００１７】
図２は、図１にて説明した色分解データの生成を実行するコンピュータによる画像処理装置を含んだ印刷システムを模式的に示す図である。同図において、２０１は分光光度計を示し、上記の単色測定１０１および基本混色測定１０２の処理を行う測色器を構成する。すなわち、この測色器によって、特色のＧインクおよびＢインクそれぞれを単独で用いて複数段階の階調値について印刷したパッチや、上記特色それぞれの色相を上述のように混色で再現する２つのインクを用いて複数段階の階調値について印刷したパッチを測色し、単色測定１０１および基本混色測定１０２による測定データを得ることができる。
【００１８】
２０２はコンピュータとしてのパーソナルコンピュータを示す。パーソナルコンピュータ２０２は、分光光度計２０１などから画像信号を入力し、その編集、保管することができる。また、パーソナルコンピュータ２０２は、ここで得られた画像信号情報をディスプレイ２０３に表示させたり、プリンタ２０４から印刷出力させたりすることができる。このパーソナルコンピュータ２０２における処理では、ユーザーによるその指示入力等をキーボードおよびポインティングデバイス３１３を用いて行うことができる。本実施形態では、このパーソナルコンピュータ２０２は所定のプログラムに従い、図１に示した処理で、その詳細が後述される色分解データ生成処理を実行する。なお、この色分解処理は、本実施形態のようにパーソナルコンピュータなどの情報処理装置において実行してもよいが、プリンタや複写機などの印刷装置において実行してもよいことはもちろんである。本明細書では、このように実行する主体の装置がどのようなものであるかを問わず、本発明を適用した色分解データの生成を行う装置を画像処理装置と言う。
【００１９】
本実施形態の印刷装置であるプリンタ２０４は、インクジェット方式のインクジェットヘッドを備えたものである。従って、色材としてＹ、Ｍ、Ｃ、Ｋの基本４色およびＢおよびＧの２つの特色それぞれのインクを用いる。なお、印刷方式としてはこのようなインクジェット方式に限られず、例えば、色材としてトナーを用いた電子写真方式であってもよい。また、印刷装置は、プリンタの形態だけでなく複写機など、基本４色に加えて特色の色材を用いる装置であればどのような形態のものであってもよい。
【００２０】
図３は、図２の構成における主要部を機能モジュールのブロックとして示す図である。同図において、３０３は、同図に示す各機能ブロックの動作、処理を制御し、あるいはその内部の以下に示す所定のメモリなどに記憶されたプログラムを実行するＣＵＰを示す。ＣＰＵ３０３は、このプログラムの実行によって、図４にてその詳細が後述される色分解データ生成処理を実行する。３０４は、色分解データ生成処理などの画像処理プログラム等を記憶するＲＯＭを示す。３０５はＣＰＵ３０３による処理実行のワークエリアとして用いられ、また、一時的にプログラムや処理対象の画像データを格納するＲＡＭを示す。３０６は処理対象の画像を表示したり、ユーザーに対して処理にかかるメッセージを表示したりするディスプレイ２０３の表示制御を行うディスプレイ制御装置である。
【００２１】
３０１は、ユーザーが各種マニュアル指示等を入力するためのマウス及びキーボード３１３とコンピュータシステム２０２との間でデータ、信号の授受を行うためのインターフェース（Ｉ／Ｆ）、３０２は、コンピュータシステム２０２と分光光度計２０１等の画像入力機器との間で同様にデータ等の媒介を行うインターフェース（Ｉ／Ｆ）をそれぞれ示す。３０７は、コンピュータシステム２０２とカラープリンタ２０４との間でデータ等の授受を行うインターフェース（Ｉ／Ｆ）を示す。
【００２２】
３０８は、ＲＡＭ３０５等に転送されるプログラムや画像データを予め格納したり、処理後の画像データを保存したりすることのできるハードディスク(ＨＤ)を示す。３０９は、コンピュータシステムの各所に保持する様々なデータを外部機器へ伝送したり、外部機器からの様々なデータを受信したりする事が可能なモデムやネットワークカード等の伝送機器３１４とコンピュータシステムとの間でデータの授受を行うインターフェース(Ｉ／Ｆ)を示す。３１０は、外部記憶媒体の一つであるＣＤ(ＣＤ−Ｒ／ＣＤ−ＲＷ／ＤＶＤ)に記憶されたデータを読み込み、あるいは書き出すことを行うためのＣＤドライブを示す。３１１は、ＣＤドライブ３１０と同様にＦＤからの読み込み、ＦＤへの書き出しを行うためのＦＤドライブを示す。なお、ＣＤ，ＦＤ，ＤＶＤ等に画像編集用のプログラム、あるいはプリンタ情報等が記憶されている場合には、これらのプログラムをＨＤ３０８上にインストールし、必要に応じてＲＡＭ３０５に転送されるようにすることができる。３１２は、外部ライン入力３１５やマイクが接続され、音声データを入力するためのサウンドインターフェース（Ｉ／Ｆ）を示す。
【００２３】
図４は、図１〜図３にて以上説明した構成による、本実施形態の色分解データ生成処理の手順を示すフローチャートである。この図４に示すフローチャートの手順を記述したコンピュータが実行可能なプログラムは、上述したように予めＲＯＭ３０４に格納しておくことができる。あるいは、予めハードディスク３０８に格納されているプログラムをＲＡＭ３０５上に読み込んだ後、ＣＰＵ３０３によりそのプログラムを実行してもよい。
【００２４】
本実施形態の色分解データ生成処理は、まず、ステップＳ４０１においては、特色のＢインクおよびＧインクそれぞれの色が含まれる色相について、所定のグラデーションをなす複数のパッチを基本的に混色によらないで印刷する。例えば、Ｂインクのブルーの色相においては、最大彩度の色より明度の高い領域では、ブルーと同色相の色を混色によって構成するＭインクとＣインクを使用せずＢインクのみを用いる。また、最大彩度からシャドー側（低明度側領域）では補色成分となるＹインクおよびＧインクとＫインクを用いてパッチを印刷する。ここで、所定のグラデーションとは、上記の色相、彩度、明度を規定する空間（例えば、Ｌ＊ａ＊ｂ＊）で、特色の色相において一定の階調変化をするものとして規定されるものであり、上記所定のグラデーションをなす複数のパッチは上記階調変化に対応した階調値に基づいて印刷されるものである。
【００２５】
上記のように印刷された各パッチの明度および彩度を、分光光度計２０１を用いて測色する。測色されたデータは後の処理のため、ＲＡＭ３０５に記憶されるか、容量が大きい場合はハードディスク３０８なども利用される。なお、実際には、ＢインクまたはＧインクと、それらの補色インクおよびＫインクの所定の階調値の組み合わせについて印刷したパッチの側色値のうち、ブルーまたはグリーンの色相における上記所定のグラデーションをなすものを選んでそれらの明度値と彩度値をデータとして格納する。また、本処理が起動される前に、これらのデータが予め用意されてＲＡＭなどに記憶されていて、本色分解データ生成処理ではそれらを読み出して用いる。これは、次のステップＳ４０２で求められる混色の場合の明度および彩度についても同様である。
【００２６】
次のステップＳ４０２では、ステップＳ４０１と同様に、特色のＢインクおよびＧインクそれぞれの色相における上記所定のグラデーションをなす複数のパッチを、混色によって印刷する。例えば、Ｂインクのブルーの色相において、最大彩度の色より明度の高い領域ではＣインクおよびＭインクを用い、最大彩度からシャドーにかけてはさらに補色成分となるＹインクおよびＧインクとＫインクを使用してパッチを印刷する。そして、同様に、各パッチの明度および彩度を分光光度計２０１を用いて測色する。測色されたデータは後の処理のため、ＲＡＭ３０５に記憶されるか、容量が大きい場合はハードディスク３０８なども利用される。
【００２７】
ステップＳ４０３では、ステップＳ４０１およびステップＳ４０３でそれぞれ求めた、特色インクの色相それぞれのグラデーションをなす単色（Ｓ４０１）と混色（Ｓ４０２）の測色データについて、ホワイト（最も高い明度）からプライマリブラック（最も低い明度）までの全明度範囲で彩度を比較する。比較された、彩度の高低のデータは、後の処理のため、ＲＡＭ３０５に記憶される。
【００２８】
そして、ステップＳ４０４では、ステップＳ４０３における比較結果に基づき、特色の色相それぞれにおける色ついて、単色インクを色成分として用いた方が全明度範囲で彩度が高い場合と、基本４色のインクによる混色インクの組み合わせを色成分として用いた方が彩度が高くなる部分が存在する場合とに分ける。ここで、特色を単色で使用したほうが全明度範囲で彩度が高い場合、ステップＳ４０５へ進み、基本４色のうち同色相を再現するインクの組み合わせを色成分として使用した方が彩度が高くなる部分が存在する場合は、ステップＳ４０６へ進む。
【００２９】
ステップＳ４０５では、特色の色相それぞれにおいて、最大彩度より高明度側ではその特色インクのみを用いる、色分解データのテーブルを作成する。すなわち、グラデーションを構成する各測色データのパッチを形成する色成分の階調値を色分解データとする。作成されたグラデーションを構成する色分解テーブルは、ＲＡＭ３０５に記憶されるか、容量が大きい場合はハードディスク３０８なども利用される。
【００３０】
一方、ステップＳ４０６では、特色インクそれぞれの色相の最大彩度より高明度の範囲で、特色インクのみを用いて上記グラデーションの色を構成する場合より基本４色のうち同色相を再現するインクの組み合わせ（混色）を用いて作成した方が彩度が高い明度範囲およびそれより低い明度範囲では、特色インクにそれと同じ色相を再現する基本４色の組み合わせ（混色）を加えて用いる、色分解テーブルを作成する。このように作成された高明度側のグラデーションを構成する色分解テーブルは、ＲＡＭ３０５に記憶されるか、容量が大きい場合はハードディスク３０８なども利用される。
【００３１】
次に、ステップＳ４０７において、ステップＳ４０５またはステップＳ４０６において作成された、最大彩度より高明度側の色分解データを基に、最大彩度より低明度側のシャドー部分の色相について、色分解テーブルを作成する。例えば、ブルーの色相であれば、上記高明度側で用いたインクに加えて、補色成分となるＹインクおよびＧインクとＫインクを用いる、色分解テーブルを作成する。作成されたインク分解のテーブルは、ＲＡＭ３０５に記憶されるか、容量が大きい場合はハードディスク３０８なども利用される。
【００３２】
最後に、ステップＳ４０８において、ステップＳ４０５またはステップＳ４０６で作成された最大彩度より高明度側の色分解データと、ステップＳ４０７において作成された最大彩度より低明度側のインク分解値を結合し、特色インクの色相それぞれにおけるグラデーションの色分解データを完成させる。
【００３３】
なお、特色以外の他の所定の色相、例えば、Ｙ、Ｍ、Ｃそれぞれのインクの色相についても、色分解データを作成する。この場合は、図４に示した単色と混色の場合の比較は行わず、例えば、それぞれの色相で、印刷したパッチのうち、最大彩度のものを選択してそれを構成するインクの（の階調値の）組み合わせを色分解データとする。そして、以上のように求めた色相の色ではない色の色分解データについては、公知の補間演算によって求める。また、それぞれの色分解データは、上述した彩度、明度、色相を規定する空間（例えば、Ｌ＊ａ＊ｂ＊）を介して対応付けられる、例えば、Ｒ、Ｇ、Ｂの値の組み合わせによって指定して、出力させることができる。ステップＳ４０８を終えると、一連の作業を終える。
【００３４】
以上説明した本実施形態の色分解データ生成方法によれば、特色インクを用いた場合に、階調性を良好に維持しつつ、効果的に彩度など色域を拡大することが可能となる。
【００３５】
（第２の実施形態）
上述した第１の実施形態では、特色の色相およびその他の所定の色相の色分解データを求めておき、この６つの色相に含まれない色の色分解データは、上記６色相の色分解データに基づいてその都度補間によって計算するものとしたが、本発明の適用はこの形態に限るものではない。すなわち、これら上記の色相の色およびそれ以外の色の色分解データをルックアップテーブル（ＬＵＴ)として求めておき、入力画像信号によってこのＬＵＴを参照し対応する色分解データを生成することもできる。
【００３６】
ＬＵＴは、上記のように求めた色相それぞれの色分解データ(組合せ)、およびそれらに基づいて、例えば立方体補間、四面体補間などの適切な補間方法を用いて得られる上記色相以外の色分解データ(組合せ)を、Ｒ(レッド)、Ｇ(グリーン)、Ｂ(ブルー)の色信号やＬ＊ａ＊ｂ＊などの全ての色情報、またはその一部に対応して、格子点データとして保持するものとして、ＲＯＭ３０４、ハードディスク３０８、ＣＤドライブ３１０あるいはＦＤドライブ３１１に記憶することができる。または、作成されたＬＵＴを外部機器に保存しておき、外部機器からの様々なデータを受信したりする事が可能なモデムやネットワークカード等の伝送機器３１４を介して処理の際にＲＡＭ３０５に呼び出し使用することができる。
【００３７】
図５は、以上のようなＬＵＴを用いた色分解データ生成の処理を示すフローチャートである。同図において、まず、ステップＳ１１０１において、入力画像信号を取得する。入力画像信号は、図３に示した分光光度計２０１を用いて入力したり、図３には図示しないが、カラーイメージスキャナ等の画像入力機器をＩ／Ｆ３０２に接続し、これによって入力される他、ハードディスク３０８、ＣＤドライブ３１０やＦＤドライブ３１１から入力することもできる。ここで、入力画像信号とは、Ｒ,Ｇ,Ｂ、Ｌ＊ａ＊ｂ＊などの色情報である。入力された入力画像信号は、後の処理のためＲＡＭ３０５に記憶される。
【００３８】
次に、ステップＳ１１０２において、入力された入力画像信号に対応する最適となる色信号の組み合せである色分解データを、ＲＡＭ３０５に呼び出されたＬＵＴを参照し決定する。そして、ステップＳ１１０３では、入力画像信号に対応する最適となる色信号の組み合わせが出力され、これに基づき、ＣＰＵ３０３は、プリンタ２０４に対して印刷制御を行う。
【００３９】
（他の実施形態）
また、本発明は上記実施の形態を実現する為の装置及び方法のみに限定されるものではなく、上記システム又は装置内のコンピュータ（ＣＰＵあるいはＭＰＵ）に、図４、図５などにて説明した上記実施形態を実現する為のソフトウエアのプログラムコードを供給し、このプログラムコードに従って上記システムあるいは装置のコンピュータが上記各種デバイスを動作させることにより上記実施の形態を実現する場合も本発明の範疇に含まれる。
【００４０】
またこの場合、前記ソフトウエアのプログラムコード自体が上記実施の形態の機能を実現することになり、そのプログラムコード自体、及びそのプログラムコードをコンピュータに供給する為の手段、具体的には上記プログラムコードを格納した記憶媒体は本発明の範疇に含まれる。
【００４１】
この様なプログラムコードを格納する記憶媒体としては、例えばフロッピー(登録商標)ディスク、ハードディスク、光ディスク、光磁気ディスク、ＣＤ−ＲＯＭ、磁気テープ、不揮発性のメモリカード、ＲＯＭ等を用いることができる。
【００４２】
また、上記コンピュータが、供給されたプログラムコードのみに従って各種デバイスを制御することにより、上記実施の形態の機能が実現される場合だけではなく、上記プログラムコードがコンピュータ上で稼働しているＯＳ（オペレーティングシステム）、あるいは他のアプリケーションソフト等と共同して上記実施の形態が実現される場合にもかかるプログラムコードは本発明の範疇に含まれる。
【００４３】
更に、この供給されたプログラムコードが、コンピュータの機能拡張ボードやコンピュータに接続された機能拡張ユニットに備わるメモリに格納された後、そのプログラムコードの指示に基づいてその機能拡張ボードや機能格納ユニットに備わるＣＰＵ等が実際の処理の一部又は全部を行い、その処理によって上記実施の形態が実現される場合も本発明の範疇に含まれる。  
また、上述した種々の特徴点の少なくとも１つを含む構成であれば本発明の範疇に含まれる。
【図面の簡単な説明】
【００４４】
【図１】本発明の一実施形態に係る、色分解データ生成のための処理を機能によって示すブロック図である。
【図２】図１にて説明した色分解データの生成を実行するコンピュータによる画像処理装置を含んだ印刷システムを模式的に示す図である。
【図３】図２の構成における主要部を機能モジュールのブロックとして示す図である。
【図４】図１〜図３にて以上説明した構成による、本実施形態の色分解データ生成処理の手順を示すフローチャートである。
【図５】本発明の第２の実施の形態に係る、ＬＵＴを用いた色分解データ生成の処理を示すフローチャートである。
【符号の説明】
【００４５】
１０１      単色測定処理
１０２      基本混色測定処理
１０３      特色色相比較処理
１０４      特色色相インク色分解処理
２０１      分光光度計
２０２      パーソナルコンピュータ
２０３      ディスプレイ
２０４      プリンタ
３０３      ＣＰＵ
３０４      ＲＯＭ
３０５      ＲＡＭ
【図１】
2005217987.tif 000003
【図２】
2005217987.tif 000004
【図３】
2005217987.tif 000005
【図４】
2005217987.tif 000006
【図５】
2005217987.tif 000007